(57)【要約】【課題】特に野菜について楽しみながら栽培から消費までを体系的，総合的に学習でき、野菜への興味関心を高められる野菜トランプを提供する。【解決手段】少なくとも５２枚のカードで構成され、Ａ，２〜１０，Ｊ，Ｑ，Ｋの１３種の数字記号の１種が記載されたカードを４枚ずつ有し、同数字記号が記載されたカードにはスペード，ダイヤ，クラブ，ハートの４種の種別記号の１種が記載され、各カードには第１及び第２記載欄を有し、特定の同数字記号のカードには第１記載欄に同数字記号毎で同分類となるように異なる野菜の絵、第２記載欄に野菜に関する説明が記載され、別の同数字記号のカードには野菜に対する害虫の絵、害虫に関する説明が記載され、さらに別の同数字記号のカードには野菜に対する益虫の絵、益虫に関する説明が記載され、さらに別の同数字記号のカードには野菜を栽培する環境に関する絵、環境に関する説明が記載された野菜トランプとした。【選択図】図１
0003171828.tif 000002
【実用新案登録請求の範囲】
【請求項１】
少なくとも５２枚のカードで構成され、
該５２枚のカードは、Ａ，２〜１０，Ｊ，Ｑ，Ｋの１３種の数字記号のうちの１種が記載されたカードを４枚ずつ有し、同じ数字記号が記載された４枚のカードにはそれぞれ、スペード，ダイヤ，クラブ，ハートの４種の種別記号のうちの１種が記載された構成となっており、
各カードには、前記数字記号と前記種別記号の他に、第１の記載欄と第２の記載欄を有しており、
特定の同じ数字記号が記載されたカードには、前記第１の記載欄に同じ数字記号毎で同じ分類となるように異なる野菜の絵が記載されると共に前記第２の記載欄に当該野菜に関する説明が記載され、
別の特定の同じ数字記号が記載されたカードには、前記第１の記載欄に前記野菜に対する害虫の絵が記載されると共に前記第２の記載欄に当該害虫に関する説明が記載され、
さらに別の特定の同じ数字記号が記載されたカードには、前記第１の記載欄に前記野菜に対する益虫の絵が記載されると共に前記第２の記載欄に当該益虫に関する説明が記載され、
さらに別の特定の同じ数字記号が記載されたカードには、前記第１の記載欄に前記野菜を栽培する環境に関する絵が記載されると共に前記第２の記載欄に当該環境に関する説明が記載されていることを特徴とする野菜トランプ。
【請求項２】
前記Ａ，２〜１０の数字記号が記載されたカードには、前記第１の記載欄に同じ数字記号毎で同じ分類となるように異なる野菜の絵が記載されると共に前記第２の記載欄に当該野菜に関する説明が記載され、
前記Ｊの数字記号が記載されたカードには、前記第１の記載欄に前記野菜に対する害虫の絵が記載されると共に前記第２の記載欄に当該害虫に関する説明が記載され、
前記Ｑの数字記号が記載されたカードには、前記第１の記載欄に前記野菜に対する益虫の絵が記載されると共に前記第２の記載欄に当該益虫に関する説明が記載され、
前記Ｋの数字記号が記載されたカードには、前記第１の記載欄に前記野菜を栽培する環境に関する絵が記載されると共に前記第２の記載欄に当該環境に関する説明が記載されていることを特徴とする請求項１に記載の野菜トランプ。
【請求項３】
前記各カードには、第３の記載欄を有しており、
該第３の記載欄には、前記各カードに記載された野菜，害虫，益虫，環境に関するクイズが記載されていることを特徴とする請求項１又は２に記載の野菜トランプ。
【考案の詳細な説明】
【技術分野】
【０００１】
本考案は、トランプに関し、特に、野菜に関する事項が表示された野菜トランプに関するものである。
【背景技術】
【０００２】
従来、楽しみながら特定の事項について学習することを目的として、その特定の事項に関する絵などを表示したトランプが提案されている。このようなトランプとしては、例えば特許文献１に示すように、各地の物産品を学習するために、カード毎に物産品の絵とその説明が記載されたトランプが挙げられる。
【先行技術文献】
【特許文献】
【０００３】
【特許文献１】実開昭６１−１７７６７８号公報
【考案の概要】
【考案が解決しようとする課題】
【０００４】
ここで、前記した特許文献１のトランプが各地の物産品について学習できる構成となっているように、従来、特定の事項について学習できるように特定の事項に関する絵などを表示した種々のトランプが提案されてきたが、特に野菜にスポットを当てて、その栽培から消費まで体系的，総合的に理解することを目的とした野菜トランプの提案はなされていなかった。
【０００５】
本考案は、このような事情に鑑みてなされたものであり、特に野菜について、楽しみながら栽培から消費までを体系的，総合的に学習することができ、野菜への興味関心を高めることができる野菜トランプを提供することを目的とする。
【課題を解決するための手段】
【０００６】
かかる課題を解決するために、本考案の請求項１に記載の考案は、少なくとも５２枚のカードで構成され、該５２枚のカードは、Ａ，２〜１０，Ｊ，Ｑ，Ｋの１３種の数字記号のうちの１種が記載されたカードを４枚ずつ有し、同じ数字記号が記載された４枚のカードにはそれぞれ、スペード，ダイヤ，クラブ，ハートの４種の種別記号のうちの１種が記載された構成となっており、各カードには、前記数字記号と前記種別記号の他に、第１の記載欄と第２の記載欄を有しており、特定の同じ数字記号が記載されたカードには、前記第１の記載欄に同じ数字記号毎で同じ分類となるように異なる野菜の絵が記載されると共に前記第２の記載欄に当該野菜に関する説明が記載され、別の特定の同じ数字記号が記載されたカードには、前記第１の記載欄に前記野菜に対する害虫の絵が記載されると共に前記第２の記載欄に当該害虫に関する説明が記載され、さらに別の特定の同じ数字記号が記載されたカードには、前記第１の記載欄に前記野菜に対する益虫の絵が記載されると共に前記第２の記載欄に当該益虫に関する説明が記載され、さらに別の特定の同じ数字記号が記載されたカードには、前記第１の記載欄に前記野菜を栽培する環境に関する絵が記載されると共に前記第２の記載欄に当該環境に関する説明が記載されている野菜トランプとしたことを特徴とする。
【０００７】
また、本考案の請求項２に記載の考案は、請求項１に記載の野菜トランプにおいて、前記Ａ，２〜１０の数字記号が記載されたカードには、前記第１の記載欄に同じ数字記号毎で同じ分類となるように異なる野菜の絵が記載されると共に前記第２の記載欄に当該野菜に関する説明が記載され、前記Ｊの数字記号が記載されたカードには、前記第１の記載欄に前記野菜に対する害虫の絵が記載されると共に前記第２の記載欄に当該害虫に関する説明が記載され、前記Ｑの数字記号が記載されたカードには、前記第１の記載欄に前記野菜に対する益虫の絵が記載されると共に前記第２の記載欄に当該益虫に関する説明が記載され、前記Ｋの数字記号が記載されたカードには、前記第１の記載欄に前記野菜を栽培する環境に関する絵が記載されると共に前記第２の記載欄に当該環境に関する説明が記載されていることを特徴とする。
【０００８】
また、本考案の請求項３に記載の考案は、請求項１又は２に記載の野菜トランプにおいて、前記各カードには、第３の記載欄を有しており、該第３の記載欄には、前記各カードに記載された野菜，害虫，益虫，環境に関するクイズが記載されていることを特徴とする。
【考案の効果】
【０００９】
本考案の請求項１に記載の考案によれば、トランプの同じ数字記号毎で同じ分類又は同じテーマとなるように、異なる野菜，害虫，益虫又は環境に関する絵と当該野菜，害虫，益虫又は環境に関する説明が記載されているため、特に野菜について、楽しみながら栽培から消費までを体系的，総合的に学習することができ、野菜への興味関心を高めることができる。また、野菜等に関する記載が各カードに体系的に配置された結果、野菜等に関する総合的な記載を有するトランプとなっているため、種々の遊び方ができたり、種々の学習方法に利用したりすることができ、様々な場面で使用できる用途の広いトランプとすることができる。
【００１０】
また、本考案の請求項２に記載の考案によれば、請求項１に記載の考案の、より具体的な構成が記載されているため、請求項１に記載の考案における効果をより具体的に実現することができる。
【００１１】
また、本考案の請求項３に記載の考案によれば、請求項１又は２に記載の考案における効果に加え、各カードには、当該カードに記載された野菜，害虫，益虫，環境に関するクイズが記載されているため、より楽しみながら学習することができ、野菜への興味関心をさらに高めることができる。
【図面の簡単な説明】
【００１２】
【図１】本考案の実施の形態に係る野菜トランプのうちのＡの数字番号のカードを示す図である。
【図２】同実施の形態に係る野菜トランプのうちの２の数字番号のカードを示す図である。
【図３】同実施の形態に係る野菜トランプのうちの３の数字番号のカードを示す図である。
【図４】同実施の形態に係る野菜トランプのうちの４の数字番号のカードを示す図である。
【図５】同実施の形態に係る野菜トランプのうちの５の数字番号のカードを示す図である。
【図６】同実施の形態に係る野菜トランプのうちの６の数字番号のカードを示す図である。
【図７】同実施の形態に係る野菜トランプのうちの７の数字番号のカードを示す図である。
【図８】同実施の形態に係る野菜トランプのうちの８の数字番号のカードを示す図である。
【図９】同実施の形態に係る野菜トランプのうちの９の数字番号のカードを示す図である。
【図１０】同実施の形態に係る野菜トランプのうちの１０の数字番号のカードを示す図である。
【図１１】同実施の形態に係る野菜トランプのうちのＪの数字番号のカードを示す図である。
【図１２】同実施の形態に係る野菜トランプのうちのＱの数字番号のカードを示す図である。
【図１３】同実施の形態に係る野菜トランプのうちのＫの数字番号のカードを示す図である。
【図１４】同実施の形態に係る野菜トランプのうちのジョーカーカードを示す図である。
【考案を実施するための形態】
【００１３】
以下、本考案の実施の形態について、図面を参照して詳細に説明する。なお、本考案及び本実施の形態における野菜の中には、通常の野菜の他、穀類も含むものとする。
【００１４】
図１〜図１４は、本考案の実施の形態に係る野菜トランプを示す図であり、図１はＡの数字番号のカードを示す図であり、図２は２の数字番号のカードを示す図であり、図３は３の数字番号のカードを示す図であり、図４は４の数字番号のカードを示す図であり、図５は５の数字番号のカードを示す図であり、図６は６の数字番号のカードを示す図であり、図７は７の数字番号のカードを示す図であり、図８は８の数字番号のカードを示す図であり、図９は９の数字番号のカードを示す図であり、図１０は１０の数字番号のカードを示す図であり、図１１はＪの数字番号のカードを示す図であり、図１２はＱの数字番号のカードを示す図であり、図１３はＫの数字番号のカードを示す図であり、図１４はジョーカーカードを示す図である。
【００１５】
本考案の野菜トランプは少なくとも５２枚のカードで構成されており、図１〜図１４に示すように、本実施の形態の野菜トランプは、５４枚のカードＳ０１〜Ｓ１３，Ｄ０１〜Ｄ１３，Ｃ０１〜Ｃ１３，Ｈ０１〜Ｈ１３，Ｇ１，Ｇ１で構成されている。この５４枚のカードのうち、図１〜図１３に示す５２枚のカードＳ０１〜Ｓ１３，Ｄ０１〜Ｄ１３，Ｃ０１〜Ｃ１３，Ｈ０１〜Ｈ１３は、Ａ，２〜１０，Ｊ，Ｑ，Ｋの１３種の数字記号１〜１３のうちの１種がカード表面の左上に記載されたカードを４枚ずつ有しており、同じ数字記号が記載された４枚のカードにはそれぞれ、スペードＳ，ダイヤＤ，クラブＣ，ハートＨの４種の種別記号のうちの１種がカード表面の左上に記載された構成となっている。このような構成を有していることにより、５２種類のカードを形成している。また、図１４に示す残り２枚のカードＧ１，Ｇ１は、ジョーカーの種別記号Ｇ１１が、カード表面の右上と左下に記載されたジョーカーカードとなっている。
【００１６】
また、図１〜図１３に示すように、本実施の形態におけるジョーカーカードＧ１を除く５２枚のカードＳ０１〜Ｓ１３，Ｄ０１〜Ｄ１３，Ｃ０１〜Ｃ１３，Ｈ０１〜Ｈ１３のカード表面には、数字記号１〜１３と種別記号Ｓ，Ｄ，Ｃ，Ｈの他に、カード表面の中央部付近に第１の記載欄Ｓ０１１〜Ｓ１３１，Ｄ０１１〜Ｄ１３１，Ｃ０１１〜Ｃ１３１，Ｈ０１１〜Ｈ１３１、カード表面の上部付近に第２の記載欄Ｓ０１２〜Ｓ１３２，Ｄ０１２〜Ｄ１３２，Ｃ０１２〜Ｃ１３２，Ｈ０１２〜Ｈ１３２、カード表面の下部付近に第３の記載欄Ｓ０１３〜Ｓ１３３，Ｄ０１３〜Ｄ１３３，Ｃ０１３〜Ｃ１３３，Ｈ０１３〜Ｈ１３３を有している。
【００１７】
また、本実施の形態では、第１の記載欄Ｓ０１１〜Ｓ１３１，Ｄ０１１〜Ｄ１３１，Ｃ０１１〜Ｃ１３１，Ｈ０１１〜Ｈ１３１には、後述するように、野菜，害虫，益虫，環境に関する絵が記載されるようになっている。また、本実施の形態では、第２の記載欄Ｓ０１２〜Ｓ１３２，Ｄ０１２〜Ｄ１３２，Ｃ０１２〜Ｃ１３２，Ｈ０１２〜Ｈ１３２には、後述するように、野菜，害虫，益虫，環境に関する説明が記載されるようになっている。また、本実施の形態では、第３の記載欄Ｓ０１３〜Ｓ１３３，Ｄ０１３〜Ｄ１３３，Ｃ０１３〜Ｃ１３３，Ｈ０１３〜Ｈ１３３には、後述するように、野菜，害虫，益虫，環境に関するクイズが記載されるようになっている。
【００１８】
さらに、本実施の形態では、第２の記載欄Ｓ０１２〜Ｓ１３２，Ｄ０１２〜Ｄ１３２，Ｃ０１２〜Ｃ１３２，Ｈ０１２〜Ｈ１３２は、カード表面の左上の数字記号及び種別記号が記載された箇所の直下の第１の説明欄Ｓ０１４〜Ｓ１３４，Ｄ０１４〜Ｄ１３４，Ｃ０１４〜Ｃ１３４，Ｈ０１４〜Ｈ１３４と、カード表面の右上の第２の説明欄Ｓ０１５〜Ｓ１３５，Ｄ０１５〜Ｄ１３５，Ｃ０１５〜Ｃ１３５，Ｈ０１５〜Ｈ１３５の２つの記載欄を有している。
【００１９】
さらに、本実施の形態では、第３の記載欄Ｓ０１３〜Ｓ１３３，Ｄ０１３〜Ｄ１３３，Ｃ０１３〜Ｃ１３３，Ｈ０１３〜Ｈ１３３は、カード表面の左下の第１のクイズ欄Ｓ０１６〜Ｓ１３６，Ｄ０１６〜Ｄ１３６，Ｃ０１６〜Ｃ１３６，Ｈ０１６〜Ｈ１３６と、カード表面の右下の第２のクイズ欄Ｓ０１７〜Ｓ１３７，Ｄ０１７〜Ｄ１３７，Ｃ０１７〜Ｃ１３７，Ｈ０１７〜Ｈ１３７の２つの記載欄を有している。
【００２０】
以下、各カードについて、さらに詳細に説明する。
【００２１】
まず、ジョーカーカードＧ１を除く５２枚のカードのうち、図１〜図１０に示すＡ，２〜１０の数字記号１〜１０が記載された４０枚のカードＳ０１〜Ｓ１０，Ｄ０１〜Ｄ１０，Ｃ０１〜Ｃ１０，Ｈ０１〜Ｈ１０には、カード表面の中央部付近の第１の記載欄Ｓ０１１〜Ｓ１０１，Ｄ０１１〜Ｄ１０１，Ｃ０１１〜Ｃ１０１，Ｈ０１１〜Ｈ１０１に、同じ数字記号１〜１０毎で同じ分類となるように異なる野菜の絵が記載されている。例えば、図１に示す同じＡの数字記号１が記載されたカードＳ０１，Ｄ０１，Ｃ０１，Ｈ０１には、カード表面の中央部付近の第１の記載欄Ｓ０１１，Ｄ０１１，Ｃ０１１，Ｈ０１１に、同じ分類であるアブラナ科となるコマツナ，ダイコン，ブロッコリー，キャベツの絵が記載されている（他のカードについては図面を参照のこと）。
【００２２】
また、図１〜図１０に示すＡ，２〜１０の数字記号１〜１０が記載された４０枚のカードＳ０１〜Ｓ１０，Ｄ０１〜Ｄ１０，Ｃ０１〜Ｃ１０，Ｈ０１〜Ｈ１０には、カード表面の上部付近の第２の記載欄Ｓ０１２〜Ｓ１０２，Ｄ０１２〜Ｄ１０２，Ｃ０１２〜Ｃ１０２，Ｈ０１２〜Ｈ１０２に、各カードに絵が記載された野菜に関する説明が記載されている。本実施の形態では、第２の記載欄Ｓ０１２〜Ｓ１０２，Ｄ０１２〜Ｄ１０２，Ｃ０１２〜Ｃ１０２，Ｈ０１２〜Ｈ１０２は、カード表面の左上の数字記号及び種別記号が記載された箇所の直下の第１の説明欄Ｓ０１４〜Ｓ１０４，Ｄ０１４〜Ｄ１０４，Ｃ０１４〜Ｃ１０４，Ｈ０１４〜Ｈ１０４に加え、カード表面の右上の第２の説明欄Ｓ０１５〜Ｓ１０５，Ｄ０１５〜Ｄ１０５，Ｃ０１５〜Ｃ１０５，Ｈ０１５〜Ｈ１０５を有している。
【００２３】
そのうち、第１の説明欄Ｓ０１４〜Ｓ１０４，Ｄ０１４〜Ｄ１０４，Ｃ０１４〜Ｃ１０４，Ｈ０１４〜Ｈ１０４に、各カードに絵が記載された野菜の名称、その野菜の分類（科）、その野菜の原産地が記載された第１の野菜に関する説明が記載されている。また、第２の説明欄Ｓ０１５〜Ｓ１０５，Ｄ０１５〜Ｄ１０５，Ｃ０１５〜Ｃ１０５，Ｈ０１５〜Ｈ１０５に、各カードに絵が記載された野菜の豆知識等が記載された第２の野菜に関する説明が記載されている。
【００２４】
例えば、図１（ａ）に示すカードＳ０１には、第１の記載欄Ｓ０１１に記載されたコマツナの絵に関する説明として、第２の記載欄Ｓ０１２におけるカード表面の左上の数字記号１及び種別記号Ｓが記載された箇所の直下の第１の説明欄Ｓ０１４に、野菜の名称「コマツナ」、その野菜の分類「アブラナ科」、その野菜の原産地「中国」が記載された第１の野菜の説明が配置されており、第２の記載欄Ｓ０１２におけるカード表面の右上の第２の説明欄Ｓ０１５に、「収穫時期が冬のものは雪菜。春のものは、うぐいす菜と呼ばれる。」という豆知識が記載された第２の野菜の説明が配置されている（他のカードについては図面を参照のこと）。
【００２５】
また、図１〜図１０に示すＡ，２〜１０の数字記号１〜１０が記載された４０枚のカードＳ０１〜Ｓ１０，Ｄ０１〜Ｄ１０，Ｃ０１〜Ｃ１０，Ｈ０１〜Ｈ１０には、カード表面の下部付近の第３の記載欄Ｓ０１３〜Ｓ１０３，Ｄ０１３〜Ｄ１０３，Ｃ０１３〜Ｃ１０３，Ｈ０１３〜Ｈ１０３に、各カードに絵が記載された野菜に関するクイズが記載されている。本実施の形態では、第３の記載欄Ｓ０１３〜Ｓ１０３，Ｄ０１３〜Ｄ１０３，Ｃ０１３〜Ｃ１０３，Ｈ０１３〜Ｈ１０３は、カード表面の左下の第１のクイズ欄Ｓ０１６〜Ｓ１０６，Ｄ０１６〜Ｄ１０６，Ｃ０１６〜Ｃ１０６，Ｈ０１６〜Ｈ１０６に加え、カード表面の右下の第２のクイズ欄Ｓ０１７〜Ｓ１０７，Ｄ０１７〜Ｄ１０７，Ｃ０１７〜Ｃ１０７，Ｈ０１７〜Ｈ１０７を有している。
【００２６】
そのうち、第１のクイズ欄Ｓ０１６〜Ｓ１０６，Ｄ０１６〜Ｄ１０６，Ｃ０１６〜Ｃ１０６，Ｈ０１６〜Ｈ１０６に、各カードに絵が記載された野菜に関するクイズ本文が記載されている。また、第２のクイズ欄Ｓ０１７〜Ｓ１０７，Ｄ０１７〜Ｄ１０７，Ｃ０１７〜Ｃ１０７，Ｈ０１７〜Ｈ１０７に、各カードに絵が記載された野菜に関するクイズの絵が記載されている。当該クイズの絵は、野菜に関するクイズ本文を補完する絵であったり、クイズのヒントとなる絵であったりしている。
【００２７】
例えば、図１（ａ）に示すカードＳ０１には、第１の記載欄Ｓ０１１に記載されたコマツナの絵に関するクイズとして、第３の記載欄Ｓ０１３におけるカード表面の左下の第１のクイズ欄Ｓ０１６に「コマツナはアブラナと何の掛け合わせ？」が記載されたクイズ本文が配置されており、第３の記載欄Ｓ０１３におけるカード表面の右下の第２のクイズ欄Ｓ０１７に、そのクイズのヒントの絵として、「ホウレンソウとカブの絵」が配置されている（他のカードについては図面を参照のこと）。
【００２８】
また、ジョーカーカードＧ１を除く５２枚のカードのうち、図１１に示す同じＪの数字記号１１が記載された４枚のカードＳ１１，Ｄ１１，Ｃ１１，Ｈ１１には、カード表面の中央部付近の第１の記載欄Ｓ１１１，Ｄ１１１，Ｃ１１１，Ｈ１１１に、前記したような野菜に対する害虫の絵が記載されている。本実施の形態では、図１１に示す同じＪの数字記号１１が記載されたカードＳ１１，Ｄ１１，Ｃ１１，Ｈ１１には、カード表面の中央部付近の第１の記載欄Ｓ１１１，Ｄ１１１，Ｃ１１１，Ｈ１１１に、野菜に対する害虫であるアブラムシ，ウリハムシ，ニジュウヤホシ，ネキリムシの絵が記載されている。
【００２９】
また、図１１に示す同じＪの数字記号１１が記載された４枚のカードＳ１１，Ｄ１１，Ｃ１１，Ｈ１１には、カード表面の上部付近の第２の記載欄Ｓ１１２，Ｄ１１２，Ｃ１１２，Ｈ１１２に、各カードに絵が記載された害虫に関する説明が記載されている。本実施の形態では、第２の記載欄Ｓ１１２，Ｄ１１２，Ｃ１１２，Ｈ１１２は、カード表面の左上の数字記号及び種別記号が記載された箇所の直下の第１の説明欄Ｓ１１４，Ｄ１１４，Ｃ１１４，Ｈ１１４に加え、カード表面の右上の第２の説明欄Ｓ１１５，Ｄ１１５，Ｃ１１５，Ｈ１１５を有している。
【００３０】
そのうち、第１の説明欄Ｓ１１４，Ｄ１１４，Ｃ１１４，Ｈ１１４に、各カードに絵が記載された害虫の名称、その害虫の分類（目）、その害虫の特徴が記載された第１の害虫に関する説明が記載されている。また、第２の説明欄Ｓ１１５，Ｄ１１５，Ｃ１１５，Ｈ１１５に、各カードに絵が記載された害虫の豆知識等が記載された第２の害虫に関する説明が記載されている。
【００３１】
例えば、図１１（ａ）に示すカードＳ１１には、第１の記載欄Ｓ１１１に記載されたアブラムシの絵に関する説明として、第２の記載欄Ｓ１１２におけるカード表面の左上の数字記号１１及び種別記号Ｓが記載された箇所の直下の第１の説明欄Ｓ１１４に、害虫の名称「アブラムシ」、その害虫の分類「カメムシ目」、その害虫の特徴「晴天が続き、少雨で多発」が記載された第１の害虫の説明が配置されており、第２の記載欄Ｓ１１２におけるカード表面の右上の第２の説明欄Ｓ１１５に、「アブラムシは、食われた仲間を補うために増殖能力を高め、生き残ってきた。」という豆知識が記載された第２の害虫の説明が配置されている（他のカードについては図面を参照のこと）。
【００３２】
また、図１１に示す同じＪの数字記号１１が記載された４枚のカードＳ１１，Ｄ１１，Ｃ１１，Ｈ１１には、カード表面の下部付近の第３の記載欄Ｓ１１３，Ｄ１１３，Ｃ１１３，Ｈ１１３に、各カードに絵が記載された害虫に関するクイズが記載されている。本実施の形態では、第３の記載欄Ｓ１１３，Ｄ１１３，Ｃ１１３，Ｈ１１３は、カード表面の左下の第１のクイズ欄Ｓ１１６，Ｄ１１６，Ｃ１１６，Ｈ１１６に加え、カード表面の右下の第２のクイズ欄Ｓ１１７，Ｄ１１７，Ｃ１１７，Ｈ１１７を有している。
【００３３】
そのうち、第１のクイズ欄Ｓ１１６，Ｄ１１６，Ｃ１１６，Ｈ１１６に、各カードに絵が記載された害虫に関するクイズ本文が記載されている。また、第２のクイズ欄Ｓ１１７，Ｄ１１７，Ｃ１１７，Ｈ１１７に、各カードに絵が記載された害虫に関するクイズの絵が記載されている。当該クイズの絵は、害虫に関するクイズ本文を補完する絵であったり、クイズのヒントとなる絵であったりしている。
【００３４】
例えば、図１１（ａ）に示すカードＳ１１には、第１の記載欄Ｓ１１１に記載されたアブラムシの絵に関するクイズとして、第３の記載欄Ｓ１１３におけるカード表面の左下の第１のクイズ欄Ｓ１１６に「メスだけで、子供を産む？ホント、ウソ」が配置されており、第３の記載欄Ｓ１１３におけるカード表面の右下の第２のクイズ欄Ｓ１１７に、そのクイズ本文を補完する絵として、「アブラムシの親がアブラムシの子を育てている様子の絵」が配置されている（他のカードについては図面を参照のこと）。
【００３５】
また、ジョーカーカードＧ１を除く５２枚のカードのうち、図１２に示す同じＱの数字記号１２が記載された４枚のカードＳ１２，Ｄ１２，Ｃ１２，Ｈ１２には、カード表面の中央部付近の第１の記載欄Ｓ１２１，Ｄ１２１，Ｃ１２１，Ｈ１２１に、前記したような野菜に対する益虫の絵が記載されている。本実施の形態では、図１２に示す同じＱの数字記号１２が記載されたカードＳ１２，Ｄ１２，Ｃ１２，Ｈ１２には、カード表面の中央部付近の第１の記載欄Ｓ１２１，Ｄ１２１，Ｃ１２１，Ｈ１２１に、野菜に対する益虫であるジョウカイボン，ニホンミツバチ，クサカゲロウ，ナミテントウムシの絵が記載されている。
【００３６】
また、図１２に示す同じＱの数字記号１２が記載された４枚のカードＳ１２，Ｄ１２，Ｃ１２，Ｈ１２には、カード表面の上部付近の第２の記載欄Ｓ１２２，Ｄ１２２，Ｃ１２２，Ｈ１２２に、各カードに絵が記載された益虫に関する説明が記載されている。本実施の形態では、第２の記載欄Ｓ１２２，Ｄ１２２，Ｃ１２２，Ｈ１２２は、カード表面の左上の数字記号及び種別記号が記載された箇所の直下の第１の説明欄Ｓ１２４，Ｄ１２４，Ｃ１２４，Ｈ１２４に加え、カード表面の右上の第２の説明欄Ｓ１２５，Ｄ１２５，Ｃ１２５，Ｈ１２５を有している。
【００３７】
そのうち、第１の説明欄Ｓ１２４，Ｄ１２４，Ｃ１２４，Ｈ１２４に、各カードに絵が記載された益虫の名称、その益虫の分類（目）、その益虫の特徴が記載された第１の益虫に関する説明が記載されている。また、第２の説明欄Ｓ１２５，Ｄ１２５，Ｃ１２５，Ｈ１２５に、各カードに絵が記載された害虫の豆知識等が記載された第２の害虫に関する説明が記載されている。
【００３８】
例えば、図１２（ａ）に示すカードＳ１２には、第１の記載欄Ｓ１２１に記載されたジョウカイボンの絵に関する説明として、第２の記載欄Ｓ１２２におけるカード表面の左上の数字記号１２及び種別記号Ｓが記載された箇所の直下の第１の説明欄Ｓ１２４に、益虫の名称「ジョウカイボン」、その益虫の分類「甲虫目」、その益虫の特徴「ホタルに近い仲間」が記載された第１の益虫の説明が配置されており、第２の記載欄Ｓ１２２におけるカード表面の右上の第２の説明欄Ｓ１２５に、「４月ごろから、花や葉上に現れる。肉食ではあるが、一部は花粉や蜜も食べる。」という豆知識が記載された第２の益虫の説明が配置されている（他のカードについては図面を参照のこと）。
【００３９】
また、図１２に示す同じＱの数字記号１２が記載された４枚のカードＳ１２，Ｄ１２，Ｃ１２，Ｈ１２には、カード表面の下部付近の第３の記載欄Ｓ１２３，Ｄ１２３，Ｃ１２３，Ｈ１２３に、各カードに絵が記載された益虫に関するクイズが記載されている。本実施の形態では、第３の記載欄Ｓ１２３，Ｄ１２３，Ｃ１２３，Ｈ１２３は、カード表面の左下の第１のクイズ欄Ｓ１２６，Ｄ１２６，Ｃ１２６，Ｈ１２６に加え、カード表面の右下の第２のクイズ欄Ｓ１２７，Ｄ１２７，Ｃ１２７，Ｈ１２７を有している。
【００４０】
そのうち、第１のクイズ欄Ｓ１２６，Ｄ１２６，Ｃ１２６，Ｈ１２６に、各カードに絵が記載された益虫に関するクイズ本文が記載されている。また、第２のクイズ欄Ｓ１２７，Ｄ１２７，Ｃ１２７，Ｈ１２７に、各カードに絵が記載された益虫に関するクイズの絵が記載されている。当該クイズの絵は、益虫に関するクイズ本文を補完する絵であったり、クイズのヒントとなる絵であったりしている。
【００４１】
例えば、図１２（ａ）に示すカードＳ１２には、第１の記載欄Ｓ１２１に記載されたジョウカイボンの絵に関するクイズとして、第３の記載欄Ｓ１２３におけるカード表面の左下の第１のクイズ欄Ｓ１２６に、「私は、○○○○モドキ？」が配置されており、第３の記載欄Ｓ１２３におけるカード表面の右下の第２のクイズ欄Ｓ１２７に、そのクイズのヒントの絵として、「カミキリムシの絵」が配置されている（他のカードについては図面を参照のこと）。
【００４２】
また、ジョーカーカードＧ１を除く５２枚のカードのうち、図１３に示す同じＫの数字記号１３が記載された４枚のカードＳ１３，Ｄ１３，Ｃ１３，Ｈ１３には、カード表面の中央部付近の第１の記載欄Ｓ１３１，Ｄ１３１，Ｃ１３１，Ｈ１３１に、前記したような野菜を栽培する環境に関する絵が記載されている。本実施の形態では、図１３に示す同じＫの数字記号１３が記載されたカードＳ１３，Ｄ１３，Ｃ１３，Ｈ１３には、カード表面の中央部付近の第１の記載欄Ｓ１３１，Ｄ１３１，Ｃ１３１，Ｈ１３１に、野菜を栽培する環境に関する大地及び土，太陽及び光，雨及び水，愛情の絵が記載されている。
【００４３】
また、図１３に示す同じＫの数字記号１３が記載された４枚のカードＳ１３，Ｄ１３，Ｃ１３，Ｈ１３には、カード表面の上部付近の第２の記載欄Ｓ１３２，Ｄ１３２，Ｃ１３２，Ｈ１３２に、各カードに絵が記載された環境に関する説明が記載されている。本実施の形態では、第２の記載欄Ｓ１３２，Ｄ１３２，Ｃ１３２，Ｈ１３２は、カード表面の左上の数字記号及び種別記号が記載された箇所の直下の第１の説明欄Ｓ１３４，Ｄ１３４，Ｃ１３４，Ｈ１３４に加え、カード表面の右上の第２の説明欄Ｓ１３５，Ｄ１３５，Ｃ１３５，Ｈ１３５を有している。
【００４４】
そのうち、第１の説明欄Ｓ１３４，Ｄ１３４，Ｃ１３４，Ｈ１３４に、各カードに絵が記載された環境の名称、その環境の分類（野菜に準えて○○科と表現している）が記載された第１の環境に関する説明が記載されている。また、第２の説明欄Ｓ１３５，Ｄ１３５，Ｃ１３５，Ｈ１３５に、各カードに絵が記載された環境の豆知識等が記載された第２の環境に関する説明が記載されている。
【００４５】
例えば、図１３（ａ）に示すカードＳ１３には、第１の記載欄Ｓ１３１に記載された大地及び土の絵に関する説明として、第２の記載欄Ｓ１３２におけるカード表面の左上の数字記号１３及び種別記号Ｓが記載された箇所の直下の第１の説明欄Ｓ１３４に、環境の名称「大地、土」、その環境の分類「育てます科」が記載された第１の環境の説明が配置されており、第２の記載欄Ｓ１３２におけるカード表面の右上の第２の説明欄Ｓ１３５に、「土の働き  １．養分を供給  ２．水はけと保水  ３．豊かな生物層」という豆知識が記載された第２の環境の説明が配置されている（他のカードについては図面を参照のこと）。
【００４６】
また、図１３に示す同じＫの数字記号１３が記載された４枚のカードＳ１３，Ｄ１３，Ｃ１３，Ｈ１３には、カード表面の下部付近の第３の記載欄Ｓ１３３，Ｄ１３３，Ｃ１３３，Ｈ１３３に、各カードに絵が記載された環境に関するクイズが記載されている。本実施の形態では、第３の記載欄Ｓ１３３，Ｄ１３３，Ｃ１３３，Ｈ１３３は、カード表面の左下の第１のクイズ欄Ｓ１３６，Ｄ１３６，Ｃ１３６，Ｈ１３６に加え、カード表面の右下の第２のクイズ欄Ｓ１３７，Ｄ１３７，Ｃ１３７，Ｈ１３７を有している。
【００４７】
そのうち、第１のクイズ欄Ｓ１３６，Ｄ１３６，Ｃ１３６，Ｈ１３６に、各カードに絵が記載された環境に関するクイズ本文が記載されている。また、第２のクイズ欄Ｓ１３７，Ｄ１３７，Ｃ１３７，Ｈ１３７に、各カードに絵が記載された環境に関するクイズの絵が記載されている。当該クイズの絵は、環境に関するクイズの文章を補完する絵であったり、クイズのヒントとなる絵であったりしている。
【００４８】
例えば、図１３（ａ）に示すカードＳ１３には、第１の記載欄Ｓ１３１に記載された大地及び土の絵に関するクイズとして、第３の記載欄Ｓ１３３におけるカード表面の左下の第１のクイズ欄Ｓ１３６に、「良い土は、ＡとＢどちら？」が配置されており、第３の記載欄Ｓ１３３におけるカード表面の右下の第２のクイズ欄Ｓ１３７に、そのクイズの文章を補完する絵として、「Ａの土の絵とＢの土の絵」が配置されている（他のカードについては図面を参照のこと）。
【００４９】
また、残り２枚のジョーカーカードＧ１，Ｇ１には、図１４に示すように、ジョーカーの種別記号Ｇ１１が、カード表面の右上と左下に記載されていると共に、ジョーカーの絵Ｇ１２が、カード表面の中央部付近に記載されている。このように、本実施の形態では、ジョーカーカードＧ１として、ジョーカーの種別記号Ｇ１１が「ＪＯＫＥＲ・浄化」と記載された１種類のジョーカーカードを２枚有している。
【００５０】
以下、本実施の形態の野菜トランプを用いた遊び方又は学習方法の例について説明する。
【００５１】
第１の例としては、受講者にトランプを見てもらい、受講者が興味を持った野菜や、答えが気になったクイズを選んでもらい、それを講師が解説する、という使い方が挙げられる。
【００５２】
また、第２の例としては、受講者の人数が多い場合に、受講者にカードを１枚ずつ（２枚ずつ、３枚ずつでも良い）持ってもらい、自分の仲間となる（関連性のある）野菜や虫、環境同士がくっつくように仲間探しをしてもらう、という使い方が挙げられる。仲間となる例としては、同じ数字記号のカード同士等が挙げられる。
【００５３】
また、第３の例としては、野菜を栽培する際に、どの野菜とどの野菜を一緒に植えると野菜の生育のために良いか（所謂、共栄植物はどれか）を当てるゲームにカードを利用する、という使い方が挙げられる。
【００５４】
また、第４の例としては、各カードと地図を利用して、カードに記載された野菜の原産地を地図上に見つけてカードを置いていくゲームを行う、という使い方が挙げられる。
【００５５】
なお、これらの遊びや学習を行う際、各カードの記載やカード同士の関係に対応したスライド等を予め用意しておき、それを受講者に見せながら講師が解説を行うと、より分かり易い解説を行うことができる。
【００５６】
また、本実施の形態の野菜トランプは、勿論、通常のトランプとして利用することも可能である。
【００５７】
以上のように、本実施の形態に係る野菜トランプによれば、トランプの同じ数字記号毎で同じ分類又は同じテーマとなるように、異なる野菜，害虫，益虫又は環境に関する絵と当該野菜，害虫，益虫又は環境に関する説明が記載されているため、特に野菜について、楽しみながら栽培から消費までを体系的，総合的に学習することができ、野菜への興味関心を高めることができる。また、野菜等に関する記載が各カードに体系的に配置された結果、野菜等に関する総合的な記載を有するトランプとなっているため、種々の遊び方ができたり、種々の学習方法に利用したりすることができ、様々な場面で使用できる用途の広いトランプとすることができる。
【００５８】
また、本実施の形態に係る野菜トランプによれば、前記した効果に加え、各カードには、当該カードに記載された野菜，害虫，益虫，環境に関するクイズが記載されているため、より楽しみながら学習することができ、野菜への興味関心をさらに高めることができる。
【００５９】
なお、以上説明した各実施の形態は、本考案の理解を容易にするために記載されたものであって、本考案を限定するために記載されたものではない。
【００６０】
例えば、前記した実施の形態では、野菜トランプを構成するジョーカーカードとして、１種類のカードＧ１が２枚入れられていたが、本考案はこれに限るものではなく、カードＧ１が１枚だけ又は３枚以上入れられるようになっていても良いし、カードＧ１と他のジョーカーカードの２種類のカードがそれぞれ１枚ずつ又はそれ以上入れられるようになっていても良い。また、ジョーカーカードが入れられていない場合もあり得る。
【００６１】
また、前記した実施の形態では、野菜トランプを構成するジョーカーカード以外の各カードは、カード表面の中央部付近に第１の記載欄、カード表面の上部付近に第２の記載欄、カード表面の下部付近に第３の記載欄を有する構成となっていたが、本考案はこれに限るものではなく、記載欄の数や記載欄の配置位置は適宜決定すれば良い。また、記載欄の数や記載欄の配置位置をカードによって変更するようにしても良い。例えば、同じ数字記号や同じ種別記号が記載されたカード毎、又は、カード１枚毎で、記載欄の数や記載欄の配置位置が異なるようになっていても良い。また、ジョーカーカードにも前記したような記載欄を有していて、そこにも野菜等に関する絵や説明、クイズ等が記載されるようになっていても良い。
【００６２】
また、野菜トランプを構成する各カードは、前記した実施の形態に示した内容のカードに限るものではなく、現在あるカードの一部又は全部を、他の絵や説明、クイズ等が記載された他のカードに適宜入れ替えて使用しても良い。例えば、前記した実施の形態では、Ａの数字記号とスペードの種別記号を有するカードとして、図１（ａ）に示すような、コマツナの絵やそれに関する説明及びクイズが記載されているカードを使用していたが、Ａの数字記号とスペードの種別記号を有するカードを、他のアブラナ科の野菜の絵やそれに関する説明及びクイズ等が記載されたカードと入れ替えて使用しても良い。また、前記した実施の形態では、Ａの数字記号を有する４枚のカードには、図１に示すように、同じアブラナ科の野菜の絵が記載されていると共にそれに関する説明及びクイズが記載されていたが、Ａの数字記号を有する４枚のカードを、アブラナ科以外の他の分類の野菜の絵やそれに関する説明及びクイズ等が記載されたカードと入れ替えて使用しても良い。
【００６３】
また、各カードには、前記した実施の形態の各カードに記載された内容以外の情報等が記載されていても良い。例えば、各カードの全部又は一部に第４の記載欄を設け、当該第４の記載欄に関連性のあるカード同士の関係を示すヒントや記号等が記載されていても良い。そのようなものの一例としては、関連性のあるカード同士には、各カードの一部に設けられた第４の記載欄に同じ記号やマークが記載されているものが挙げられる。このようになっていると、同じ記号のもの同士を集めさせて、これがどのような関連性を持っているのかを答えてもらう等の学習方法に利用することができる。
【００６４】
また、他の例としては、一のカードの一部分に第５の記載欄を設け、当該第５の記載欄に関連のある他のカードの数字記号及び種別記号が記載されているものが挙げられる。具体的には、ダイヤの１のカードとスペードの５のカードに関連がある場合に、ダイヤの１のカードの一部分に設けられた第５の記載欄にスペードの５の記号が記載されている（例えば、スペードの５の記号が小さく記載されている。）場合が挙げられる。
【符号の説明】
【００６５】
1〜13  数字記号
S,D,C,H,G11  種別記号
S01〜S13  スペードのカード
D01〜D13  ダイヤのカード
C01〜C13  クラブのカード
H01〜H13  ハートのカード
G1  ジョーカーカード
S011〜S131,D011〜D131,C011〜C131,H011〜H131  第１の記載欄
S012〜S132,D012〜D132,C012〜C132,H012〜H132  第２の記載欄
S013〜S133,D013〜D133,C013〜C133,H013〜H133  第３の記載欄
S014〜S134,D014〜D134,C014〜C134,H014〜H134  第１の説明欄
S015〜S135,D015〜D135,C015〜C135,H015〜H135  第２の説明欄
S016〜S136,D016〜D136,C016〜C136,H016〜H136  第１のクイズ欄
S017〜S137,D017〜D137,C017〜C137,H017〜H137  第２のクイズ欄
G12  ジョーカーの絵
【図１】
0003171828.tif 000003
【図２】
0003171828.tif 000004
【図３】
0003171828.tif 000005
【図４】
0003171828.tif 000006
【図５】
0003171828.tif 000007
【図６】
0003171828.tif 000008
【図７】
0003171828.tif 000009
【図８】
0003171828.tif 000010
【図９】
0003171828.tif 000011
【図１０】
0003171828.tif 000012
【図１１】
0003171828.tif 000013
【図１２】
0003171828.tif 000014
【図１３】
0003171828.tif 000015
【図１４】
0003171828.tif 000016